(57)【要約】【課題】ユーザーの利便性を向上する。【解決手段】プロジェクター１００は、投射部１１０と、第１画像情報ＰＪ１を出力する画像出力装置２００が接続可能に構成される第１コネクター１７１と、画像出力装置２００の起動を指示する起動指示部１６２と、画像出力装置２００の起動が完了したことを検出する検出部１６３と、第２画像情報ＰＪ２を記憶する画像記憶部１６５と、画像出力装置２００の起動が完了したことを検出部１６３が検出していない場合に、第２画像情報ＰＪ２に対応する第２画像Ｐ２を投射部１１０に表示させ、画像出力装置２００の起動が完了したことを検出部１６３が検出した場合に、第１画像情報ＰＪ１に対応する第１画像Ｐ１を投射部１１０に表示させる、表示制御部１６４と、を備える。【選択図】図４
2020064255.tif 000002
【特許請求の範囲】
【請求項１】
表示部と、
第１画像情報を出力する画像出力装置が接続可能に構成される第１コネクターと、
前記第１コネクターに接続された前記画像出力装置の起動を指示する起動指示部と、
前記画像出力装置の起動が完了したことを検出する検出部と、
第２画像情報を記憶する画像記憶部と、
前記画像出力装置の起動が完了したことを前記検出部が検出していない場合に、前記第２画像情報に対応する第２画像を前記表示部に表示させ、
前記画像出力装置の起動が完了したことを前記検出部が検出した場合に、前記第１画像情報に対応する第１画像を前記表示部に表示させる、表示制御部と、
を備える、
表示装置。
【請求項２】
前記第２画像は、前記画像出力装置の起動が完了していないことを示す画像である、
請求項１に記載の表示装置。
【請求項３】
前記表示装置の起動が開始されたときに、前記起動指示部は、前記画像出力装置の起動を指示する、
請求項１又は２に記載の表示装置。
【請求項４】
前記表示装置の起動が開始されたときに、前記起動指示部は、前記画像出力装置の起動を開始する旨の指示情報を前記画像出力装置へ伝送し、
前記画像出力装置の起動処理が完了したときに、前記検出部は、前記画像出力装置の起動が完了した旨を示す完了情報を前記画像出力装置から受け取り、
前記検出部は、前記画像出力装置から前記完了情報を受け取った場合に、前記画像出力装置の起動が完了したことを検出する、
請求項３に記載の表示装置。
【請求項５】
第２コネクターと、
前記第１コネクター又は前記第２コネクターを選択する選択部と、
を備え、
前記選択部が前記第１コネクターを選択した場合に、前記起動指示部は、前記第１コネクターに接続された前記画像出力装置の起動を指示する、
請求項１から４のいずれか１項に記載の表示装置。
【請求項６】
前記選択部が前記第２コネクターを選択している状態から、前記選択部が前記第１コネクターを選択している状態に遷移したときに、前記起動指示部は、前記画像出力装置の起動を指示する、
請求項５に記載の表示装置。
【請求項７】
前記選択部が前記第２コネクターを選択している状態から、前記選択部が前記第１コネクターを選択している状態に遷移したときに、前記起動指示部は、前記第１コネクターに接続された前記画像出力装置の起動を開始する旨の指示情報を前記画像出力装置へ伝送し、
前記画像出力装置の起動処理が完了したときに、前記検出部は、前記第１コネクターに接続された前記画像出力装置の起動が完了した旨を示す完了情報を前記画像出力装置から受け取り、
前記検出部は、前記画像出力装置から前記完了情報を受け取った場合に、前記第１コネクターに接続された前記画像出力装置の起動が完了したことを検出する、
請求項６に記載の表示装置。
【請求項８】
前記第２コネクターは、前記画像出力装置が接続可能に構成され、
前記選択部が前記第１コネクターを選択している状態から、前記選択部が前記第２コネクターを選択している状態に遷移した場合、前記起動指示部は、前記第２コネクターに接続された前記画像出力装置の起動を指示する、
請求項５から７のいずれか１項に記載の表示装置。
【請求項９】
前記第２コネクターは、前記画像出力装置が接続可能に構成され、
前記第２コネクターに前記画像出力装置が接続されていない状態から、前記第２コネクターに前記画像出力装置が接続された状態に遷移したときに、前記起動指示部は、前記第２コネクターに接続された前記画像出力装置の起動を指示する、
請求項６から８のいずれか１項に記載の表示装置。
【請求項１０】
前記表示装置は、プロジェクターである、
請求項１から９のいずれか１項に記載の表示装置。
【請求項１１】
前記第１コネクターは、ＨＤＭＩコネクターである、
請求項１から１０のいずれか１項に記載の表示装置。
【請求項１２】
表示部と、第１画像情報を出力する画像出力装置が接続可能に構成される第１コネクターと、第２画像情報を記憶する画像記憶部とを備える表示装置の制御方法であって、
前記第１コネクターに接続された前記画像出力装置の起動を指示する起動指示ステップと、
前記画像出力装置の起動が完了したことを検出する検出ステップと、
前記検出ステップにおいて前記画像出力装置の起動が完了したことを検出した場合に、前記第１画像情報に対応する第１画像を前記表示部に表示させる第１表示制御ステップと、
前記検出ステップにおいて前記画像出力装置の起動が完了したことを検出していない場合に、前記第２画像情報に対応する第２画像を前記表示部に表示させる第２表示制御ステップと、
を含む、
表示装置の制御方法。
【請求項１３】
前記第２画像は、前記画像出力装置の起動が完了していないことを示す画像である、
請求項１２に記載の表示装置の制御方法。
【請求項１４】
前記表示装置の起動が開始されたときに、前記起動指示ステップにおいて、前記画像出力装置の起動を指示する、
請求項１２又は１３に記載の表示装置の制御方法。
【請求項１５】
前記表示装置の起動が開始されたときに、前記起動指示ステップにおいて、前記画像出力装置の起動を開始する旨の指示情報を前記画像出力装置へ伝送し、
前記画像出力装置の起動処理が完了したときに、前記検出ステップにおいて、前記画像出力装置の起動が完了した旨を示す完了情報を前記画像出力装置から受け取り、
前記検出ステップにおいて、前記画像出力装置から前記完了情報を受け取った場合に、前記画像出力装置の起動が完了したことを検出する、
請求項１４に記載の表示装置の制御方法。
【請求項１６】
前記表示装置は、第２コネクターを備え、
前記表示装置の制御方法は、
前記第１コネクター又は前記第２コネクターを選択する選択ステップ
を含み、
前記選択ステップにおいて、前記第１コネクターを選択した場合に、前記起動指示ステップにおいて、前記第１コネクターに接続された前記画像出力装置の起動を指示する、
請求項１２から１５のいずれか１項に記載の表示装置の制御方法。
【請求項１７】
前記選択ステップにおいて前記第２コネクターを選択している状態から、前記選択ステップにおいて前記第１コネクターを選択している状態に遷移したときに、前記起動指示ステップにおいて、前記画像出力装置の起動を指示する、
請求項１６に記載の表示装置の制御方法。
【請求項１８】
前記選択ステップにおいて前記第２コネクターを選択している状態から、前記選択ステップにおいて前記第１コネクターを選択している状態に遷移したときに、前記起動指示ステップにおいて、前記第１コネクターに接続された前記画像出力装置の起動を開始する旨の指示情報を前記画像出力装置へ伝送し、
前記画像出力装置の起動処理が完了したときに、前記検出ステップにおいて、前記第１コネクターに接続された前記画像出力装置の起動が完了した旨を示す完了情報を前記画像出力装置から受け取り、
前記検出ステップにおいて、前記画像出力装置から前記完了情報を受け取った場合に、前記第１コネクターに接続された前記画像出力装置の起動が完了したことを検出する、
請求項１７に記載の表示装置の制御方法。
【請求項１９】
前記第２コネクターは、前記画像出力装置が接続可能に構成され、
前記選択ステップにおいて前記第１コネクターを選択している状態から、前記選択ステップにおいて前記第２コネクターを選択している状態に遷移した場合、前記起動指示ステップにおいて、前記第２コネクターに接続された前記画像出力装置の起動を指示する、
請求項１６から１８のいずれか１項に記載の表示装置の制御方法。
【請求項２０】
前記第２コネクターは、前記画像出力装置が接続可能に構成され、
前記第２コネクターに前記画像出力装置が接続されていない状態から、前記第２コネクターに前記画像出力装置が接続された状態に遷移したときに、前記起動指示ステップにおいて、前記第２コネクターに接続された前記画像出力装置の起動を指示する、
請求項１７から１９のいずれか１項に記載の表示装置の制御方法。
【請求項２１】
表示装置のコネクターに接続可能に構成され、画像情報を前記表示装置に出力する画像出力装置であって、
前記表示装置から前記画像出力装置の起動を開始する旨の指示情報を受け取った場合に、前記画像出力装置の起動を開始し、
前記画像出力装置の起動が完了した場合に、前記画像出力装置の起動が完了した旨を示す完了情報を、前記表示装置に前記コネクターを介して伝送する、制御部を備える、
画像出力装置。
【請求項２２】
第１画像情報を出力する画像出力装置と、表示装置とを備える表示システムであって、
前記表示装置は、
表示部と、
前記画像出力装置が接続可能に構成されるコネクターと、
前記コネクターに接続された前記画像出力装置の起動を指示する起動指示部と、
前記画像出力装置の起動が完了したことを検出する検出部と、
第２画像情報を記憶する画像記憶部と、
前記画像出力装置の起動が完了したことを前記検出部が検出していない場合に、前記第２画像情報に対応する第２画像を前記表示部に表示させ、
前記画像出力装置の起動が完了したことを前記検出部が検出した場合に、前記第１画像情報に対応する第１画像を前記表示部に表示させる、表示制御部と、
を備える、
表示システム。
【発明の詳細な説明】
【技術分野】
【０００１】
本発明は、表示装置、表示装置の制御方法、画像出力装置、及び表示システムに関する。
【背景技術】
【０００２】
プロジェクターは、画像供給装置と通信を行う通信部と、通信部を介して、画像供給装置の動作を制御するための制御情報を送信する制御部とを備える。制御部は、画像供給装置に対して、当該画像供給装置の起動を指示する第１の制御情報を送信する。そして、第１の制御情報に基づいて画像供給装置が起動した後、制御部は、画像供給装置に対して、画像送信プログラムを起動させる第２の制御情報を送信する。画像送信プログラムは、画像供給装置に記憶されたプログラムであり、プロジェクターに画像情報を送信するプログラムである。
【先行技術文献】
【特許文献】
【０００３】
【特許文献１】特開２０１３−２２５７４１号公報
【発明の概要】
【発明が解決しようとする課題】
【０００４】
しかし、特許文献１に記載のプロジェクターでは、画像供給装置が起動するまでプロジェクターには画像が供給されないため、映像表示を行う事ができない。映像表示が行われない場合、ユーザーは画像供給装置及びプロジェクターの起動状況を把握できない。その結果、ユーザーの利便性が十分ではない場合がある。
本発明は、ユーザーの利便性を向上可能な表示装置、表示装置の制御方法、画像出力装置、及び表示システムを提供することを目的とする。
【課題を解決するための手段】
【０００５】
上記目的を達成する一態様は、表示部と、第１画像情報を出力する画像出力装置が接続可能に構成される第１コネクターと、前記第1コネクターに接続された前記画像出力装置の起動を指示する起動指示部と、前記画像出力装置の起動が完了したことを検出する検出部と、第２画像情報を記憶する画像記憶部と、前記画像出力装置の起動が完了したことを前記検出部が検出していない場合に、前記第２画像情報に対応する第２画像を前記表示部に表示させ、前記画像出力装置の起動が完了したことを前記検出部が検出した場合に、前記第１画像情報に対応する第１画像を前記表示部に表示させる、表示制御部と、を備える、表示装置である。
【０００６】
上記表示装置において、前記第２画像は、前記画像出力装置の起動が完了していないことを示す画像である構成であってもよい。
【０００７】
上記表示装置において、前記表示装置の起動が開始されたときに、前記起動指示部は、前記画像出力装置の起動を指示する構成であってもよい。
【０００８】
上記表示装置において、前記表示装置の起動が開始されたときに、前記起動指示部は、前記画像出力装置の起動を開始する旨の指示情報を前記画像出力装置へ伝送し、前記画像出力装置の起動処理が完了したときに、前記検出部は、前記画像出力装置の起動が完了した旨を示す完了情報を前記画像出力装置から受け取り、前記検出部は、前記画像出力装置から前記完了情報を受け取った場合に、前記画像出力装置の起動が完了したことを検出する構成であってもよい。
【０００９】
上記表示装置において、第２コネクターと、前記第１コネクター又は前記第２コネクターを選択する選択部と、を備え、前記選択部が前記第１コネクターを選択した場合に、前記起動指示部は、前記第１コネクターに接続された前記画像出力装置の起動を指示する構成であってもよい。
【００１０】
上記表示装置において、前記選択部が前記第２コネクターを選択している状態から、前記選択部が前記第１コネクターを選択している状態に遷移したときに、前記起動指示部は、前記画像出力装置の起動を指示する構成であってもよい。
【００１１】
上記表示装置において、前記選択部が前記第２コネクターを選択している状態から、前記選択部が前記第１コネクターを選択している状態に遷移したときに、前記起動指示部は、前記第１コネクターに接続された前記画像出力装置の起動を開始する旨の指示情報を前記画像出力装置へ伝送し、前記画像出力装置の起動処理が完了したときに、前記検出部は、前記第１コネクターに接続された前記画像出力装置の起動が完了した旨を示す完了情報を前記画像出力装置から受け取り、前記検出部は、前記画像出力装置から前記完了情報を受け取った場合に、前記第１コネクターに接続された前記画像出力装置の起動が完了したことを検出する構成であってもよい。
【００１２】
上記表示装置において、前記第２コネクターは、前記画像出力装置が接続可能に構成され、前記選択部が前記第１コネクターを選択している状態から、前記選択部が前記第２コネクターを選択している状態に遷移したときに、前記起動指示部は、前記第２コネクターに接続された前記画像出力装置の起動を指示する構成であってもよい。
【００１３】
上記表示装置において、前記第２コネクターは、前記画像出力装置が接続可能に構成され、前記第２コネクターに前記画像出力装置が接続されたときに、前記起動指示部は、前記画像出力装置の起動を指示する構成であってもよい。
【００１４】
上記表示装置において、前記表示装置は、プロジェクターである構成であってもよい。
【００１５】
上記表示装置において、前記第１コネクターは、ＨＤＭＩコネクターである構成であってもよい。
【００１６】
上記目的を達成する別の一態様は、表示部と、第１画像情報を出力する画像出力装置が接続可能に構成される第１コネクターと、第２画像情報を記憶する画像記憶部とを備える表示装置の制御方法であって、前記第１コネクターに接続された前記画像出力装置の起動を指示する起動指示ステップと、前記画像出力装置の起動が完了したことを検出する検出ステップと、前記検出ステップにおいて前記画像出力装置の起動が完了したことを検出した場合に、前記第１画像情報に対応する第１画像を前記表示部に表示させる第１表示制御ステップと、前記検出ステップにおいて前記画像出力装置の起動が完了したことを検出していない場合に、前記第２画像情報に対応する第２画像を前記表示部に表示させる第２表示制御ステップと、を含む、表示装置の制御方法である。
【００１７】
上記表示装置の制御方法において、前記第２画像は、前記画像出力装置の起動が完了していないことを示す画像である構成であってもよい。
【００１８】
上記表示装置の制御方法において、前記表示装置の起動が開始されたときに、前記起動指示ステップにおいて、前記画像出力装置の起動を指示する構成であってもよい。
【００１９】
上記表示装置の制御方法において、前記表示装置の起動が開始されたときに、前記起動指示ステップにおいて、前記画像出力装置の起動を開始する旨の指示情報を前記画像出力装置へ伝送し、前記画像出力装置の起動処理が完了したときに、前記検出ステップにおいて、前記画像出力装置の起動が完了した旨を示す完了情報を前記画像出力装置から受け取り、前記検出ステップにおいて、前記画像出力装置から前記完了情報を受け取った場合に、前記画像出力装置の起動が完了したことを検出する構成であってもよい。
【００２０】
上記表示装置の制御方法において、前記表示装置は、第２コネクターを備え、前記表示装置の制御方法は、前記第１コネクター又は前記第２コネクターを選択する選択ステップを含み、前記選択ステップにおいて、前記第１コネクターを選択した場合に、前記起動指示ステップにおいて、前記第１コネクターに接続された前記画像出力装置の起動を指示する構成であってもよい。
【００２１】
上記表示装置の制御方法において、前記選択ステップにおいて前記第２コネクターを選択している状態から、前記選択ステップにおいて前記第１コネクターを選択している状態に遷移したときに、前記起動指示ステップにおいて、前記画像出力装置の起動を指示する構成であってもよい。
【００２２】
上記表示装置の制御方法において、前記選択ステップにおいて前記第２コネクターを選択している状態から、前記選択ステップにおいて前記第１コネクターを選択している状態に遷移したときに、前記起動指示ステップにおいて、前記第１コネクターに接続された前記画像出力装置の起動を開始する旨の指示情報を前記画像出力装置へ伝送し、前記画像出力装置の起動処理が完了したときに、前記検出ステップにおいて、前記第１コネクターに接続された前記画像出力装置の起動が完了した旨を示す完了情報を前記画像出力装置から受け取り、前記検出ステップにおいて、前記画像出力装置から前記完了情報を受け取った場合に、前記第１コネクターに接続された前記画像出力装置の起動が完了したことを検出する構成であってもよい。
【００２３】
上記表示装置の制御方法において、前記第２コネクターは、前記画像出力装置が接続可能に構成され、前記選択ステップにおいて前記第１コネクターを選択している状態から、前記選択ステップにおいて前記第２コネクターを選択している状態に遷移した場合、前記起動指示ステップにおいて、前記第２コネクターに接続された前記画像出力装置の起動を指示する構成であってもよい。
【００２４】
上記目的を達成する更に別の一態様は、表示装置のコネクターに接続可能に構成され、画像情報を前記表示装置に出力する画像出力装置であって、前記表示装置から前記画像出力装置の起動を開始する旨の指示情報を受け取った場合に、前記画像出力装置の起動を開始し、前記画像出力装置の起動が完了した場合に、前記画像出力装置の起動が完了した旨を示す完了情報を、前記表示装置に前記コネクターを介して伝送する、制御部を備える、画像出力装置である。
【００２５】
上記目的を達成する更に別の一態様は、第１画像情報を出力する画像出力装置と、表示装置とを備える表示システムであって、前記表示装置は、表示部と、前記画像出力装置が接続可能に構成されるコネクターと、前記コネクターに接続された前記画像出力装置の起動を指示する起動指示部と、前記画像出力装置の起動が完了したことを検出する検出部と、第２画像情報を記憶する画像記憶部と、前記画像出力装置の起動が完了したことを前記検出部が検出していない場合に、前記第２画像情報に対応する第２画像を前記表示部に表示させ、前記画像出力装置の起動が完了したことを前記検出部が検出した場合に、前記第１画像情報に対応する第１画像を前記表示部に表示させる、表示制御部と、を備える、表示システムである。
【図面の簡単な説明】
【００２６】
【図１】プロジェクターの構成を示す図。
【図２】第１実施形態及び第２実施形態におけるコネクターの構成を示す図。
【図３】画像出力装置の構成を示す図。
【図４】第１制御部と第２制御部との構成を示す図。
【図５】第１実施形態における第１制御部の処理を示すフローチャート。
【図６】第１実施形態における第２制御部の処理を示すフローチャート。
【図７】第２実施形態における第１制御部の処理示すフローチャート。
【図８】第３実施形態におけるコネクターの構成を示す図。
【図９】第３実施形態における第１制御部の処理を示すフローチャート。
【発明を実施するための形態】
【００２７】
以下、図面を参照して本発明の実施形態について説明する。
本発明の実施形態は、第１実施形態と、第２実施形態と、第３実施形態とを含む。
まず、図１を参照して実施形態に係るプロジェクター１００の構成について説明する。図１は、プロジェクター１００の構成を示すブロック図である。プロジェクター１００は、「表示装置」の一例に相当する。また、プロジェクター１００は、「表示システム」の一部に相当する。
【００２８】
プロジェクター１００は、投射部１１０と、投射部１１０を駆動する駆動部１２０とを備える。投射部１１０は、「表示部」の一例に相当する。投射部１１０は、光源１１１、光変調装置１１２及び光学ユニット１１３を備える。駆動部１２０は、光源駆動部１２１及び光変調装置駆動部１２２を備える。
【００２９】
光源１１１は、ハロゲンランプ、キセノンランプ、超高圧水銀ランプ等のランプ、又はＬＥＤ（Ｌｉｇｈｔ  Ｅｍｉｔｔｉｎｇ  Ｄｉｏｄｅ）やレーザー光源等の固体光源を備える。
光源駆動部１２１は、後述する第１制御部１５０の制御に従い、光源１１１を点灯又は消灯させる。また、光源駆動部１２１は、点灯した光源１１１の輝度を調整する。
【００３０】
光変調装置１１２は、光源１１１が発した光を変調する光変調素子を備える。本実施形態では、光変調装置１１２が光変調素子として透過型の液晶パネル１１５を備える場合について説明するが、本発明はこれに限定されない。光変調素子は反射型の液晶パネル１１５であってもよいし、デジタルミラーデバイス（Ｄｉｇｉｔａｌ  Ｍｉｃｒｏｍｉｒｒｏｒ  Ｄｅｖｉｃｅ）であってもよい。
【００３１】
液晶パネル１１５は、複数の画素を垂直方向及び水平方向にマトリクス状に配置して構成される。
【００３２】
光変調装置駆動部１２２には、後述する表示処理部１４５から同期信号や画像データが入力される。光変調装置駆動部１２２は、入力された画像データに基づいて液晶パネル１１５を駆動する駆動信号を生成する。光変調装置駆動部１２２は、同期信号や駆動信号に基づいて液晶パネル１１５に画像を描画する。すなわち、光変調装置駆動部１２２は、液晶パネル１１５を構成する各画素の透過率を画像に対応した透過率に変更する。これにより、光源１１１が発した光が透過率を変更された液晶パネル１１５により変調されて、画像光が生成される。生成された画像光は、光学ユニット１１３に入射される。
【００３３】
光学ユニット１１３は、入射された画像光を投射面１０５上に結像させるレンズやミラーを備える。光学ユニット１１３は、ズームレンズやフォーカスレンズ等の各種のレンズ又はレンズ群を含む構成とすることも可能である。
【００３４】
プロジェクター１００は、操作部１３１、リモコン受光部１３３、入力インターフェース１３５、記憶部１３７、コネクター１７０、画像インターフェース１４１、フレームメモリー１４３、表示処理部１４５及び第１制御部１５０を更に備える。入力インターフェース１３５、記憶部１３７、画像インターフェース１４１、表示処理部１４５及び第１制御部１５０は、バス１０７を介して相互にデータ通信可能に接続される。
【００３５】
操作部１３１は、プロジェクター１００の筐体表面に設けられた各種のボタンやスイッチを備え、これらのボタンやスイッチの操作に対応した操作信号を生成して、入力インターフェース１３５に出力する。入力インターフェース１３５は、操作部１３１から入力された操作信号を第１制御部１５０に出力する。
【００３６】
リモコン受光部１３３は、リモコン５から送信される赤外線信号を受光し、受光した赤外線信号をデコードして操作信号を生成する。リモコン受光部１３３は、生成した操作信号を入力インターフェース１３５に出力する。入力インターフェース１３５は、リモコン受光部１３３から入力された操作信号を第１制御部１５０に出力する。
【００３７】
記憶部１３７は、例えば、ハードディスクドライブやＳＳＤ（Ｓｏｌｉｄ  Ｓｔａｔｅ  Ｄｒｉｖｅ）等の不揮発性の記憶装置である。記憶部１３７は、第１制御部１５０が実行する制御プログラムや、第１制御部１５０が処理したデータ、画像データ等を記憶する。
【００３８】
コネクター１７０は、画像出力装置２００が接続可能に構成される。コネクター１７０については、後述にて図２及び図８を参照して説明する。
【００３９】
画像インターフェース１４１は、インターフェース回路を備え、プロジェクター１００に画像情報を供給する画像出力装置２００に、コネクター１７０を介して有線接続される。画像出力装置２００が供給する画像情報は、静止画像情報であってもよいし、動画像情報であってもよい。画像出力装置２００は、「表示システム」の一部に相当する。すなわち、プロジェクター１００と画像出力装置２００とが、「表示システム」の一例を構成する。また、画像出力装置２００については、後述にて図３を参照して説明する。
【００４０】
画像インターフェース１４１は、画像出力装置２００から画像信号を受信し、受信した画像信号に含まれる画像データ及び同期信号を取り出す。画像データは、複数の画素の各々の階調を色成分毎に示すデータである。また、同期信号は、同期タイミングを示す信号であり、水平同期信号及び垂直同期信号を含む。画像インターフェース１４１は、画像信号から取り出した同期信号を、第１制御部１５０及び表示処理部１４５に出力し、画像データを表示処理部１４５に出力する。第１制御部１５０は、水平同期信号及び垂直同期信号に基づいて、処理を実行するタイミングを判定し、判定したタイミングに基づいてプロジェクター１００の各部を制御する。表示処理部１４５は、水平同期信号及び垂直同期信号に同期して画像データに対して画像処理を実行し、画像処理後の画像データを光変調装置駆動部１２２に出力する。
【００４１】
第１制御部１５０は、第１メモリー１５１及び第１プロセッサー１５３を備える。
第１メモリー１５１は、第１プロセッサー１５３が実行するプログラムやデータを不揮発的に記憶する記憶装置である。第１メモリー１５１は、磁気的記憶装置、フラッシュＲＯＭ等の半導体記憶素子、或いはその他の種類の不揮発性記憶装置により構成される。また、第１メモリー１５１は、第１プロセッサー１５３のワークエリアを構成するＲＡＭを含んでもよい。第１メモリー１５１は、第１制御部１５０により処理されるデータや、第１プロセッサー１５３が実行する第１制御プログラムを記憶する。
【００４２】
第１プロセッサー１５３は、単一のプロセッサーで構成されてもよいし、複数のプロセッサーが第１プロセッサー１５３として機能する構成であってもよい。第１プロセッサー１５３は、第１制御プログラムを実行してプロジェクター１００の各部を制御する。例えば、第１プロセッサー１５３は、操作部１３１やリモコン５により受け付けた操作に対応した画像処理の実行指示と、この画像処理に用いるパラメーターとを表示処理部１４５に出力する。パラメーターには、例えば、投射面１０５に投射する画像の幾何的な歪みを補正するための幾何補正パラメーター等が含まれる。また、第１プロセッサー１５３は、光源駆動部１２１を制御して光源１１１の点灯と消灯とを制御し、また光源１１１の輝度を調整する。
【００４３】
表示処理部１４５及びフレームメモリー１４３は、例えば、集積回路により構成することができる。集積回路は、ＬＳＩ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）を含む。ＰＬＤには、例えば、ＦＰＧＡ（Ｆｉｅｌｄ−Ｐｒｏｇｒａｍｍａｂｌｅ  Ｇａｔｅ  Ａｒｒａｙ）が含まれる。また、集積回路の構成の一部にアナログ回路が含まれていてもよく、プロセッサーと集積回路との組み合わせであってもよい。プロセッサーと集積回路との組み合わせは、マイクロコントローラー（ＭＣＵ）、ＳｏＣ（Ｓｙｓｔｅｍ−ｏｎ−ａ−ｃｈｉｐ）、システムＬＳＩ、チップセットなどと呼ばれる。
【００４４】
表示処理部１４５は、画像インターフェース１４１から入力された画像データをフレームメモリー１４３に展開する。フレームメモリー１４３は、複数のバンクを備える。各バンクは、１フレーム分の画像データを書き込み可能な記憶容量を有する。フレームメモリー１４３は、例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）により構成される。
【００４５】
表示処理部１４５は、フレームメモリー１４３に展開した画像データに対して、例えば、解像度変換処理又はリサイズ処理、歪曲収差の補正、形状補正処理、デジタルズーム処理、画像の色合いや輝度の調整等の画像処理を行う。
また、表示処理部１４５は、フレームレート変換処理を実行する。フレームレート変換処理とは、液晶パネル１１５に描画する画像データのフレーム周波数を、画像出力装置２００から供給された画像データのフレーム周波数とは異なる周波数に変換する処理である。フレーム周波数とは、単位時間である１秒当たりに表示される画像数であり、垂直同期信号の周波数に対応する。画像出力装置２００から供給された画像データのフレーム周波数を入力フレーム周波数といい、液晶パネル１１５に描画する画像データのフレーム周波数を描画周波数という。
【００４６】
表示処理部１４５は、垂直同期信号の入力フレーム周波数を描画周波数に変換した垂直同期信号を生成する。生成した垂直同期信号を出力同期信号という。表示処理部１４５は、生成した出力同期信号を光変調装置駆動部１２２に出力する。
入力フレーム周波数、すなわち、垂直同期信号の周波数が６０Ｈｚである場合には、表示処理部１４５は、例えば、６０Ｈｚを２倍した１２０Ｈｚの描画周波数、又は６０Ｈｚを４倍した２４０Ｈｚの描画周波数の出力同期信号を生成する。表示処理部１４５は、フレームメモリー１４３から読み出した画像データを、生成した出力同期信号と共に光変調装置駆動部１２２に出力する。光変調装置駆動部１２２は、入力された出力同期信号に同期して、液晶パネル１１５に画像を描画する倍速処理を実行する。
【００４７】
また、表示処理部１４５は、画像データの１フレームから複数のサブフレームを生成する。サブフレームとは、１フレーム分の画像データの表示期間に表示する画像データである。表示処理部１４５は、フレームメモリー１４３から同一の画像データを複数回、読み出すことでサブフレームを生成する。また、本実施形態では、表示処理部１４５は、画像データを複数に分割し、分割した領域ごとにサブフレームを生成する。
【００４８】
次に、図１及び図２を参照して、本発明の第１実施形態及び第２実施形態におけるコネクター１７０の構成について説明する。図２は、コネクター１７０の構成を示す図である。図２に示すように、コネクター１７０は、第１コネクター１７１、第２コネクター１７２と、第３コネクター１７３とを含む。
第１コネクター１７１は、例えばＨＤＭＩ（登録商標：Ｈｉｇｈ−Ｄｅｆｉｎｉｔｉｏｎ  Ｍｕｌｔｉｍｅｄｉａ  Ｉｎｔｅｒｆａｃｅ）コネクターである。また、第１コネクター１７１は、画像出力装置２００が接続可能に構成される。本発明の第１実施形態及び第２実施形態では、第１コネクター１７１には、画像出力装置２００が接続されている。
【００４９】
また、ユーザーが画像出力装置２００を第１コネクター１７１から取り外すことを規制するために、プロジェクター１００の筐体には、規制部材１７４が配置される。規制部材１７４は、第１コネクター１７１と、第１コネクター１７１に接続された画像出力装置２００とを覆う板状部材である。規制部材１７４は、プロジェクター１００の筐体と一体に形成される。例えば、規制部材１７４は、プロジェクター１００の筐体にボルト止めされる。
【００５０】
第２コネクター１７２は、例えばＨＤＭＩコネクターである。また、第２コネクター１７２は、画像出力装置２００が接続可能に構成される。
第３コネクター１７３は、例えばＤ−ｓｕｂ（Ｄ−ｓｕｂｍｉｎｉａｔｕｒｅ）コネクターである。第３コネクター１７３には、例えばパーソナルコンピューターが接続される。
第３コネクター１７３は、「第２コネクター」の一例に相当する場合がある。すなわち、第２コネクター１７２及び第３コネクター１７３の各々が、「第２コネクター」の一例に相当する場合がある。
【００５１】
なお、本発明の第１実施形態及び第２実施形態では、第１コネクター１７１は、例えばＤＭＩコネクターであるが、本発明はこれに限定されない。第１コネクター１７１は、ＵＳＢ（Ｕｎｉｖｅｒｓａｌ  Ｓｅｒｉａｌ  Ｂｕｓ）コネクターでもよい。また、第１コネクター１７１は、イーサネット（登録商標）規格に基づく通信が可能なコネクターでもよい。
【００５２】
次に、図１〜図３を参照して、本発明の実施形態における画像出力装置２００の構成について説明する。図３は、画像出力装置２００の構成を示す図である。画像出力装置２００は、コネクター１７０を介してプロジェクター１００に第１画像情報ＰＪ１を出力する。図３に示すように、画像出力装置２００は、通信部２１０と、第２制御部２２０と、無線通信部２４０と、ＨＤＭＩ端子２５０とを備える。画像出力装置２００は、例えばスティック状の形状に形成される。
具体的には、画像出力装置２００は、例えばネットワークを介して配信されるストリーミング画像を受信し、接続したプロジェクター１００に対して画像を送信し表示させる。なお、画像出力装置２００自体は、ネットワークを介して受信したストリーミング画像を表示しない。
【００５３】
通信部２１０は、ＨＤＭＩ端子２５０と第１コネクター１７１とを介して、図１に示すプロジェクター１００の第１制御部１５０と通信する。ＨＤＭＩ端子２５０は、第１コネクター１７１に接続される。
【００５４】
第２制御部２２０は、第２メモリー２２２及び第２プロセッサー２２１を備える。
第２メモリー２２２は、第２プロセッサー２２１が実行するプログラムやデータを不揮発的に記憶する記憶装置である。第２メモリー２２２は、磁気的記憶装置、フラッシュＲＯＭ等の半導体記憶素子、或いはその他の種類の不揮発性記憶装置により構成される。また、第２メモリー２２２は、第２プロセッサー２２１のワークエリアを構成するＲＡＭを含んでもよい。第２メモリー２２２は、第２制御部２２０により処理されるデータや、ＯＳ（Ｏｐｅｒａｔｉｎｇ  Ｓｙｓｔｅｍ）として機能するシステムプログラム、第２プロセッサー２２１が実行する第２制御プログラムを記憶する。
【００５５】
第２プロセッサー２２１は、単一のプロセッサーで構成されてもよいし、複数のプロセッサーが第２プロセッサー２２１として機能する構成であってもよい。第２プロセッサー２２１は、第２制御プログラムを実行してプロジェクター１００に対して第１画像情報ＰＪ１を出力する。
【００５６】
無線通信部２４０は、無線通信でインターネットに接続される。無線通信部２４０は、例えばＷｉ−Ｆｉ（登録商標）でインターネットに接続される。第２制御部２２０は、無線通信部２４０を介して、サーバー装置やパーソナルコンピューター等から第１画像情報ＰＪ１を受信する。
【００５７】
なお、本発明の実施形態では、第２制御部２２０は、無線通信部２４０を介して第１画像情報ＰＪ１を受信するが、本発明はこれに限定されない。第２制御部２２０が、第２メモリー２２２から第１画像情報ＰＪ１を読み出してもよい。
【００５８】
次に、図１〜図４を参照して、本発明の実施形態における第１制御部１５０と第２制御部２２０との構成について説明する。図４は、第１制御部１５０と第２制御部２２０との構成を示す図である。
図４に示すように、第１制御部１５０は、選択部１６１と、起動指示部１６２と、検出部１６３と、表示制御部１６４と、画像記憶部１６５とを備える。具体的には、図１に示す第１制御部１５０の第１プロセッサー１５３が、第１制御プログラムを実行することによって、選択部１６１、起動指示部１６２、検出部１６３及び表示制御部１６４として機能する。また、第１メモリー１５１は、画像記憶部１６５として機能する。
【００５９】
また、図４に示すように、第２制御部２２０は、受付部２３１と、起動実行部２３２と、送信部２３３とを備える。具体的には、図３に示す第２制御部２２０の第２プロセッサー２２１が、第２制御プログラムを実行することによって、受付部２３１、起動実行部２３２及び送信部２３３として機能する。
【００６０】
画像記憶部１６５は、第２画像情報ＰＪ２を記憶する。第２画像情報ＰＪ２に対応する第２画像Ｐ２は、画像出力装置２００の起動が完了していないことを示す。第２画像Ｐ２は、例えば「画像出力装置を起動中です。」という文字列の画像を示す。
【００６１】
選択部１６１は、図２に示す第１コネクター１７１〜第３コネクター１７３の中から１つのコネクターを選択する。換言すれば、選択部１６１は、第１コネクター１７１又は第２コネクターを選択する。第２コネクターは、第２コネクター１７２と第３コネクター１７３とを含む。
本発明の実施形態では、選択部１６１は、図１に示す操作部１３１やリモコン５に対するユーザーの操作に基づいて、第１コネクター１７１〜第３コネクター１７３の中から１つのコネクターを選択する。
【００６２】
起動指示部１６２は、画像出力装置２００の起動を指示する。具体的には、起動指示部１６２は、画像出力装置２００の起動を開始する旨の指示情報ＣＪを画像出力装置２００へ伝送する。
更に具体的には、起動指示部１６２は、第２制御部２２０に対して起動コマンドＳＣＭを送信する。起動コマンドＳＣＭは、指示情報ＣＪの一例に相当する。すなわち、起動コマンドＳＣＭは、画像出力装置２００の起動を開始する旨の指示を示す。起動コマンドＳＣＭは、例えばＨＤＭＩ−ＣＥＣ（Ｃｏｎｓｕｍｅｒ  Ｅｌｅｃｔｒｏｎｉｃｓ  Ｃｏｎｔｒｏｌ）規格に基づいて規定される。
【００６３】
検出部１６３は、画像出力装置２００の起動が完了したことを検出する。具体的には、検出部１６３は、画像出力装置２００の起動が完了した旨を示す完了情報ＦＪを画像出力装置２００から受け取った場合に、画像出力装置２００の起動が完了したことを検出する。
【００６４】
表示制御部１６４は、画像出力装置２００の起動が完了したことを検出部１６３が検出していない場合に、第２画像情報ＰＪ２に対応する第２画像Ｐ２を投射部１１０に表示させる。また、表示制御部１６４は、画像出力装置２００の起動が完了したことを検出部１６３が検出した場合に、画像出力装置２００から第１画像情報ＰＪ１を受信し、第１画像情報ＰＪ１に対応する第１画像Ｐ１を投射部１１０に表示させる。
【００６５】
受付部２３１は、プロジェクター１００から画像出力装置２００の起動を開始する旨の指示情報ＣＪを受け取る。具体的には、受付部２３１は、起動指示部１６２から起動コマンドＳＣＭを受け取る。
【００６６】
起動実行部２３２は、受付部２３１がプロジェクター１００から画像出力装置２００の起動を開始する旨の指示情報ＣＪを受け取った場合に、画像出力装置２００の起動を開始する。具体的には、受付部２３１が起動指示部１６２から起動コマンドＳＣＭを受け取った場合に、起動実行部２３２は、画像出力装置２００の起動処理を実行する。
【００６７】
送信部２３３は、画像出力装置２００の起動が完了した場合に、画像出力装置２００の起動が完了した旨を示す完了情報ＦＪを、プロジェクター１００にコネクター１７０を介して伝送する。具体的には、送信部２３３は、画像出力装置２００の起動が完了した場合に、完了情報ＦＪを第１制御部１５０に伝送する。
また、送信部２３３は、画像出力装置２００の起動が完了した場合に、第１画像情報ＰＪ１をプロジェクター１００にコネクター１７０を介して伝送する。具体的には、画像出力装置２００の起動が完了した場合に、送信部２３３は、第１画像情報ＰＪ１を第１制御部１５０に伝送する。
【００６８】
＜第１実施形態＞
次に、図１〜図５を参照して、本発明の第１実施形態における第１制御部１５０の処理について説明する。第１実施形態では、図２を参照して説明したように、第１コネクター１７１に画像出力装置２００が接続されている。また、選択部１６１は、第１コネクター１７１を選択している。図５は、第１実施形態における第１制御部１５０の処理を示すフローチャートである。
【００６９】
図５に示すように、ステップＳＡ１０１において、第１制御部１５０は、プロジェクター１００の電源がオンされたか否かを判定する。
プロジェクター１００の電源がオンされていないと第１制御部１５０が判定した場合（ステップＳＡ１０１でＮＯ）には、処理が待機状態になる。プロジェクター１００の電源がオンされたと第１制御部１５０が判定した場合（ステップＳＡ１０１でＹＥＳ）には、処理がステップＳＡ１０３に進む。
そして、ステップＳＡ１０３において、第１制御部１５０は、プロジェクター１００の各部を初期化する初期化処理を実行する。
次に、ステップＳＡ１０５において、第１制御部１５０は、コネクター１７０に出力装置が接続されているか否かを検出する接続検出処理を実行する。出力装置は、画像情報を出力する装置であって、画像出力装置２００を含む。本発明の第１実施形態では、第１コネクター１７１に画像出力装置２００が接続されているため、第１制御部１５０は、第１コネクター１７１に画像出力装置２００が接続されていることを検出する。
次に、ステップＳＡ１０７において、第１制御部１５０は、光源１１１を点灯する。
【００７０】
次に、ステップＳＡ１０９において、起動指示部１６２は、第２制御部２２０に対して起動コマンドＳＣＭを送信する。
次に、ステップＳＡ１１１において、表示制御部１６４は、第２画像Ｐ２を投射部１１０に表示させる。第２画像Ｐ２は、画像出力装置２００の起動が完了していないことを示す。なお、以下の説明において、第２画像Ｐ２を、「起動中画像」と記載する場合がある。
次に、ステップＳＡ１１３において、検出部１６３が、完了情報ＦＪを画像出力装置２００から受信したか否かを判定する。なお、本発明の実施形態において、完了情報ＦＪを「起動完了情報」と記載する場合がある。
完了情報ＦＪを画像出力装置２００から受信していないと判定した場合（ステップＳＡ１１３でＮＯ）には、処理がステップＳＡ１１１に戻る。完了情報ＦＪを画像出力装置２００から受信したと判定した場合（ステップＳＡ１１３でＹＥＳ）には、処理がステップＳＡ１１５に進む。
そして、ステップＳＡ１１５において、表示制御部１６４は、第１画像Ｐ１を投射部１１０に表示させ、処理が終了する。なお、本発明の実施形態において、第１画像Ｐ１を「出力画像」と記載する場合がある。
【００７１】
なお、ステップＳＡ１０９は、「起動指示ステップ」の一例に相当する。ステップＳＡ１１３は、「検出ステップ」の一例に相当する。ステップＳＡ１１１は、「第１表示制御ステップ」の一例に相当する。ステップＳＡ１１５は、「第２表示制御ステップ」の一例に相当する。
【００７２】
次に、図１〜図６を参照して、第１実施形態における第２制御部２２０の処理について説明する。図６は、第１実施形態における第２制御部２２０の処理を示すフローチャートである。
図６に示すように、まず、ステップＳＢ１０１において、受付部２３１は、起動指示部１６２から起動コマンドＳＣＭを受信したか否かを判定する。
起動指示部１６２から起動コマンドＳＣＭを受信していないと受付部２３１が判定した場合（ステップＳＢ１０１でＮＯ）には、処理が待機状態になる。起動指示部１６２から起動コマンドＳＣＭを受信したと受付部２３１が判定した場合（ステップＳＢ１０１でＹＥＳ）には、処理がステップＳＢ１０３に進む。
そして、ステップＳＢ１０３において、起動実行部２３２は、画像出力装置２００の起動処理を実行する。
【００７３】
次に、ステップＳＢ１０５において、送信部２３３は、画像出力装置２００の起動処理が完了したか否かを判定する。
画像出力装置２００の起動処理が完了していないと送信部２３３が判定した場合（ステップＳＢ１０５でＮＯ）には、処理がステップＳＢ１０３に戻る。画像出力装置２００の起動処理が完了したと送信部２３３が判定した場合（ステップＳＢ１０５でＹＥＳ）には、処理がステップＳＢ１０７に進む。
そして、ステップＳＢ１０７において、送信部２３３は、画像出力装置２００の起動が完了した旨を示す完了情報ＦＪを第１制御部１５０に送信する。
次に、ステップＳＢ１０９において、送信部２３３は、第１画像情報ＰＪ１を第１制御部１５０に送信し、処理が終了する。
【００７４】
以上、図１〜図６を参照して説明したように、本発明の第１実施形態では、起動指示部１６２が、画像出力装置２００の起動を指示する。検出部１６３は、画像出力装置２００の起動が完了したことを検出する。画像記憶部１６５は、第２画像情報ＰＪ２を記憶する。表示制御部１６４は、画像出力装置２００の起動が完了したことを検出部１６３が検出していない場合に、第２画像情報ＰＪ２に対応する第２画像Ｐ２を投射部１１０に表示させる。また、表示制御部１６４は、画像出力装置２００の起動が完了したことを検出部１６３が検出した場合に、第１画像情報ＰＪ１に対応する第１画像Ｐ１を投射部１１０に表示させる。
画像出力装置２００の起動が完了したことを検出部１６３が検出していない場合に、第２画像情報ＰＪ２に対応する第２画像Ｐ２を投射部１１０に表示させるため、ユーザーの利便性を向上することができる。
すなわち、画像出力装置２００の起動が完了していない場合に、第２画像Ｐ２が表示されるため、ユーザーは画像出力装置２００の起動処理が完了していないことを確認できる。また、ユーザーは、例えばプロジェクター１００が正常に動作していることを確認できる。
【００７５】
また、本発明の第１実施形態では、第２画像Ｐ２は、画像出力装置２００の起動が完了していないことを示す。したがって、ユーザーは画像出力装置２００の起動処理が完了していないことを明確に確認できる。
【００７６】
また、本発明の第１実施形態では、プロジェクター１００の起動が開始されたときに、起動指示部１６２は、画像出力装置２００の起動を指示する。具体的には、図５を参照して説明したように、プロジェクター１００の電源がオンされ、初期化処理と接続検出処理とが完了して、光源１１１が点灯したときに、起動指示部１６２は、画像出力装置２００の起動を指示する。
したがって、起動指示部１６２は、適正なタイミングで画像出力装置２００の起動を指示できる。換言すれば、起動指示部１６２は、速やかに画像出力装置２００の起動を指示できる。
【００７７】
また、本発明の第１実施形態では、プロジェクター１００の起動が開始されたときに、起動指示部１６２は、画像出力装置２００の起動を開始する旨の指示情報ＣＪを画像出力装置２００へ伝送する。そして、画像出力装置２００の起動処理が完了したときに、検出部１６３は、画像出力装置２００の起動が完了した旨を示す完了情報ＦＪを画像出力装置２００から受け取る。また、検出部１６３は、画像出力装置２００から完了情報ＦＪを受け取った場合に、画像出力装置２００の起動が完了したことを検出する。
したがって、検出部１６３は、簡素な構成で画像出力装置２００の起動が完了したことを確実に検出できる。
【００７８】
また、本発明の第１実施形態では、表示装置は、プロジェクター１００である。
したがって、第１画像Ｐ１及び第２画像Ｐ２の各々を、ユーザーが所望するサイズに表示できる。
【００７９】
また、本発明の第１実施形態では、第１コネクター１７１は、ＨＤＭＩコネクターである。
よって、画像出力装置２００から出力される第２画像情報ＰＪ２に対応する第２画像Ｐ２の画質の劣化を抑制して、プロジェクター１００が受信できる。したがって、プロジェクター１００は、第２画像Ｐ２を高品質に表示できる。
【００８０】
また、本発明の第１実施形態では、画像出力装置２００は、第２制御部２２０を備える。第２制御部２２０は、プロジェクター１００から画像出力装置２００の起動を開始する旨の指示情報ＣＪを受け取った場合に、画像出力装置２００の起動を開始する。また、第２制御部２２０は、画像出力装置２００の起動が完了した場合に、画像出力装置２００の起動が完了した旨を示す完了情報ＦＪを、コネクター１７０を介してプロジェクター１００に伝送する。
したがって、プロジェクター１００は、簡素な構成で画像出力装置２００の起動が完了したことを確実に検出できる。
【００８１】
＜第２実施形態＞
次に、図１〜図４、図６及び図７を参照して、本発明の第２実施形態における第１制御部１５０の処理について説明する。第２実施形態では、図２を参照して説明したように、第１コネクター１７１に画像出力装置２００が接続されている。また、選択部１６１は、第１コネクター１７１〜第３コネクター１７３の中から１つのコネクターを選択する。
すなわち、第１実施形態では、選択部１６１が第１コネクター１７１を選択している。これに対して、第２実施形態では、選択部１６１が、第１コネクター１７１〜第３コネクター１７３の中から１つのコネクターを選択する点で相違している。
【００８２】
図７は、本発明の第２実施形態における第１制御部１５０の処理を示すフローチャートである。以下の説明では、図５に示すフローチャートと相違する処理について説明し、図５に示すフローチャートと同一の処理についてはその説明を省略する。
また、本発明の第２実施形態における第２制御部２２０の処理を示すフローチャートは、図６に示す本発明の第１実施形態における第２制御部２２０の処理を示すフローチャートと同一であるため、その説明を省略する。
図７に示すフローチャートのステップＳＡ２０１〜ステップＳＡ２０７の各々は、図５に示すフローチャートのステップＳＡ１０１〜ステップＳＡ１０７の各々に対応する。そこで、ステップＳＡ２０１〜ステップＳＡ２０７については、その説明を省略する。
【００８３】
図７に示すように、ステップＳＡ２０９において、選択部１６１は、第１コネクター１７１を選択しているか否かを判定する。
第１コネクター１７１を選択していないと選択部１６１が判定した場合（ステップＳＡ２０９でＮＯ）には、処理が待機状態になる。第１コネクター１７１を選択していると選択部１６１が判定した場合（ステップＳＡ２０９でＹＥＳ）には、処理がステップＳＡ２１１に進む。
そして、ステップＳＡ２１１において、起動指示部１６２は、第２制御部２２０に対して起動コマンドＳＣＭを送信する。
すなわち、選択部１６１が第１コネクター１７１を選択した場合に、起動指示部１６２は、画像出力装置２００の起動を指示する。具体的には、選択部１６１が第２コネクター１７２又は第３コネクター１７３を選択している状態から、選択部１６１が第１コネクター１７１を選択している状態に遷移したときに、起動指示部１６２は、画像出力装置２００の起動を指示する。
図７に示すフローチャートのステップＳＡ２１３〜ステップＳＡ２１７の各々は、図５に示すフローチャートのステップＳＡ１１１〜ステップＳＡ１１５の各々に対応する。そこで、ステップＳＡ２１３〜ステップＳＡ２１７については、その説明を省略する。
なお、ステップＳＡ２０９は、「選択ステップ」の一例に相当する。
【００８４】
以上、図１〜図４、図６及び図７を参照して説明したように、本発明の第２実施形態では、選択部１６１が第１コネクター１７１を選択した場合に、起動指示部１６２は、画像出力装置２００の起動を指示する。
したがって、起動指示部１６２は、適正なタイミングで画像出力装置２００の起動を指示できる。換言すれば、起動指示部１６２は、速やかに画像出力装置２００の起動を指示できる。
【００８５】
また、本発明の第２実施形態では、選択部１６１が第２コネクター１７２又は第３コネクター１７３を選択している状態から、選択部１６１が第１コネクター１７１を選択している状態に遷移したときに、起動指示部１６２は、以下の処理を実行する。すなわち、起動指示部１６２は、画像出力装置２００の起動を指示する。
したがって、起動指示部１６２は、更に適正なタイミングで画像出力装置２００の起動を指示できる。換言すれば、起動指示部１６２は、更に速やかに画像出力装置２００の起動を指示できる。
【００８６】
また、本発明の第２実施形態では、選択部１６１が第２コネクター１７２又は第３コネクター１７３を選択している状態から、選択部１６１が第１コネクター１７１を選択している状態に遷移したときに、起動指示部１６２は、以下の処理を実行する。すなわち、起動指示部１６２は、画像出力装置２００の起動を開始する旨の指示情報ＣＪを画像出力装置２００へ伝送する。また、画像出力装置２００の起動処理が完了したときに、検出部１６３は、画像出力装置２００の起動が完了した旨を示す完了情報ＦＪを画像出力装置２００から受け取る。更に、検出部１６３は、画像出力装置２００から完了情報ＦＪを受け取った場合に、画像出力装置２００の起動が完了したことを検出する。
したがって、検出部１６３は、簡素な構成で画像出力装置２００の起動が完了したことを確実に検出できる。
【００８７】
＜第３実施形態＞
次に、図１、図３、図４、図６、図８及び図９を参照して、本発明の第３実施形態におけるプロジェクター１００について説明する。まず、本発明の第３実施形態におけるコネクター１７０の構成について説明する。図８は、本発明の第３実施形態におけるコネクター１７０の構成を示す図である。図８に示すように、コネクター１７０は、第１コネクター１７１、第２コネクター１７２と、第３コネクター１７３とを含む。
以下の説明では、図８に示す第３実施形態におけるコネクター１７０が、図２に示す第１実施形態におけるコネクター１７０と相違する点について説明し、図２に示すコネクター１７０と同一の構成についてはその説明を省略する。
図８に示す第２コネクター１７２は、図２に示す第２コネクター１７２と同一の構成を有する。よって、第２コネクター１７２については、その説明を省略する。また、図８に示す第３コネクター１７３は、図２に示す第３コネクター１７３と同一の構成を有する。よって、第３コネクター１７３については、その説明を省略する。
【００８８】
図２に示す第１コネクター１７１には、画像出力装置２００が接続されているのに対して、図８に示す第１コネクター１７１は、画像出力装置２００が接続可能に構成される点で相違する。すなわち、本発明の第３実施形態では、第１コネクター１７１に画像出力装置２００が接続されている場合も、第１コネクター１７１に画像出力装置２００が接続されていない場合もある。
【００８９】
また、図２に示すプロジェクター１００の筐体には、規制部材１７４が配置されるのに対して、図８に示すプロジェクター１００の筐体には、規制部材１７４が配置されない点で相違する。すなわち、本発明の第３実施形態では、第１コネクター１７１は、画像出力装置２００が着脱自在に構成される。
【００９０】
次に、図９を参照して、本発明の第３実施形態における第１制御部１５０の処理について説明する。図９は、第３実施形態における第１制御部１５０の処理を示すフローチャートである。以下の説明では、図５に示すフローチャートと相違する処理について説明し、図５に示すフローチャートと同一の処理についてはその説明を省略する。
また、本発明の第３実施形態における第２制御部２２０の処理を示すフローチャートは、図６に示す本発明の第１実施形態における第２制御部２２０の処理を示すフローチャートと同一であるため、その記載を省略する。
図９に示すフローチャートのステップＳＡ３０１〜ステップＳＡ３０７の各々は、図５に示すフローチャートのステップＳＡ１０１〜ステップＳＡ１０７の各々に対応する。そこで、ステップＳＡ３０１〜ステップＳＡ３０７については、その説明を省略する。
【００９１】
図９に示すように、ステップＳＡ３０９において、選択部１６１は、第２コネクター１７２を選択したか否かを判定する。
第２コネクター１７２を選択していないと選択部１６１が判定した場合（ステップＳＡ３０９でＮＯ）には、処理がステップＳＡ３１３に進む。第２コネクター１７２を選択したと選択部１６１が判定した場合（ステップＳＡ３０９でＹＥＳ）には、処理がステップＳＡ３１１に進む。
そして、ステップＳＡ３１１において、第１制御部１５０は、第２コネクター１７２に画像出力装置２００が接続されたか否かを判定する。
第２コネクター１７２に画像出力装置２００が接続されていないと第１制御部１５０が判定した場合（ステップＳＡ３１１でＮＯ）には、処理がステップＳＡ３０９に戻る。第２コネクター１７２に画像出力装置２００が接続されたと第１制御部１５０が判定した場合（ステップＳＡ３１１でＹＥＳ）には、処理がステップＳＡ３１７に進む。
【００９２】
第２コネクター１７２を選択していないと選択部１６１が判定した場合（ステップＳＡ３０９でＮＯ）には、ステップＳＡ３１３において、選択部１６１は、第１コネクター１７１を選択したか否かを判定する。
第１コネクター１７１を選択していないと選択部１６１が判定した場合（ステップＳＡ３１３でＮＯ）には、処理がステップＳＡ３０９に戻る。第１コネクター１７１を選択したと選択部１６１が判定した場合（ステップＳＡ３０９でＹＥＳ）には、処理がステップＳＡ３１５に進む。
そして、ステップＳＡ３１５において、第１制御部１５０は、第１コネクター１７１に画像出力装置２００が接続されたか否かを判定する。
第１コネクター１７１に画像出力装置２００が接続されていないと第１制御部１５０が判定した場合（ステップＳＡ３１５でＮＯ）には、処理がステップＳＡ３０９に戻る。第１コネクター１７１に画像出力装置２００が接続されたと第１制御部１５０が判定した場合（ステップＳＡ３１５でＹＥＳ）には、処理がステップＳＡ３１７に進む。
【００９３】
そして、ステップＳＡ３１７において、起動指示部１６２は、第２制御部２２０に対して起動コマンドＳＣＭを送信する。
すなわち、第２コネクター１７２に画像出力装置２００が接続されている場合には、以下の処理が実行される。すなわち、選択部１６１が第１コネクター１７１又は第３コネクター１７３を選択している状態から、選択部１６１が第２コネクター１７２を選択している状態に遷移したときに、起動指示部１６２は、画像出力装置２００の起動を指示する。
また、選択部１６１が第２コネクター１７２を選択している場合には、以下の処理が実行される。すなわち、第２コネクター１７２に画像出力装置２００が接続されたときに、起動指示部１６２は、画像出力装置２００の起動を指示する。
図９に示すフローチャートのステップＳＡ３１９〜ステップＳＡ３２３の各々は、図５に示すフローチャートのステップＳＡ１１１〜ステップＳＡ１１５の各々に対応する。そこで、ステップＳＡ３１９〜ステップＳＡ３２３については、その説明を省略する。
なお、ステップＳＡ３０９〜ステップＳＡ３１５は、「選択ステップ」の一例に相当する。
【００９４】
以上、図１、図３、図４、図６、図８及び図９を参照して説明したように、本発明の第３実施形態では、第２コネクター１７２に画像出力装置２００が接続されている場合には、以下の処理が実行される。すなわち、選択部１６１が第１コネクター１７１又は第３コネクター１７３を選択している状態から、選択部１６１が第２コネクター１７２を選択している状態に遷移したときに、起動指示部１６２は、画像出力装置２００の起動を指示する。
したがって、起動指示部１６２は、第２コネクター１７２に接続された画像出力装置２００の起動を適正なタイミングで指示できる。換言すれば、起動指示部１６２は、第２コネクター１７２に画像出力装置２００の起動を速やかに指示できる。
【００９５】
また、本発明の第３実施形態では、選択部１６１が第２コネクター１７２を選択している場合には、以下の処理が実行される。すなわち、第２コネクター１７２に画像出力装置２００が接続されたときに、起動指示部１６２は、画像出力装置２００の起動を指示する。
したがって、起動指示部１６２は、第２コネクター１７２に接続された画像出力装置２００の起動を適正なタイミングで指示できる。換言すれば、起動指示部１６２は、第２コネクター１７２に接続された画像出力装置２００の起動を速やかに指示できる。
【００９６】
上述した実施形態は、本発明の好適な実施の形態である。ただし、上述の実施形態に限定されるものではなく、本発明の要旨を逸脱しない範囲内において種々の変形実施が可能である。
例えば、図５、図７及び図９に示すフローチャートの処理単位は、プロジェクター１００の処理を理解容易にするために、主な処理内容に応じて分割したものである。図５、図７及び図９のフローチャートに示す処理単位の分割の仕方や名称によって本発明が制限されることはなく、処理内容に応じて、さらに多くの処理単位に分割することもできるし、１つの処理単位がさらに多くの処理を含むように分割することもできる。また、上記のフローチャートの処理順序も、図示した例に限られるものではない。
【００９７】
また、例えば、図６に示すフローチャートの処理単位は、画像出力装置２００の処理を理解容易にするために、主な処理内容に応じて分割したものである。図６のフローチャートに示す処理単位の分割の仕方や名称によって本発明が制限されることはなく、処理内容に応じて、さらに多くの処理単位に分割することもできるし、１つの処理単位がさらに多くの処理を含むように分割することもできる。また、上記のフローチャートの処理順序も、図示した例に限られるものではない。
【００９８】
また、例えば、上記実施形態では、プロジェクター１００を表示装置の一例として示したが、本発明の表示装置は、液晶表示パネルに画像を表示する液晶モニター、液晶テレビ等であってもよい。また、プラズマディスプレイパネル、ＯＬＥＤ（Ｏｒｇａｎｉｃ  ｌｉｇｈｔ−ｅｍｉｔｔｉｎｇ  ｄｉｏｄｅ）、ＯＥＬ（Ｏｒｇａｎｉｃ  Ｅｌｅｃｔｒｏ  Ｌｕｍｉｎｅｓｃｅｎｃｅ）ディスプレイ等の有機ＥＬ表示パネルを備えた装置であってもよい。
【００９９】
また、図１、図３及び図４に示した各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、或いは、ハードウェアで実現される機能の一部をソフトウェアで実現してもよい。その他、プロジェクター１００の他の各部の具体的な細部構成についても、本発明の趣旨を逸脱しない範囲で任意に変更可能である。
【０１００】
また、本発明のプロジェクター１００の制御方法は、プロジェクター１００が備えるコンピューターに、プロジェクター１００の制御方法に対応したプログラムを実行させることで実現できる。また、このプログラムは、コンピューターで読み取り可能に記録した記録媒体に記録しておくことも可能である。記録媒体としては、磁気的、光学的記録媒体又は半導体メモリーデバイスを用いることができる。具体的には、フレキシブルディスク、ＨＤＤ（Ｈａｒｄ  Ｄｉｓｋ  Ｄｒｉｖｅ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）、Ｂｌｕ−ｒａｙ（登録商標）  Ｄｉｓｃ、光磁気ディスク、フラッシュメモリー、カード型記録媒体等の可搬型、或いは固定式の記録媒体が挙げられる。また、記録媒体は、画像処理装置が備える内部記憶装置であるＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ等の不揮発性記憶装置であってもよい。また、プロジェクター１００の制御方法に対応したプログラムをサーバー装置等に記憶させておき、サーバー装置からプロジェクター１００に、プログラムをダウンロードすることでプロジェクター１００の制御方法を実現することもできる。
【符号の説明】
【０１０１】
１００…プロジェクター（表示装置、表示システムの一部）、１０５…投射面、１１０…投射部（表示部）、１１１…光源、１１２…光変調装置、１１３…光学ユニット、１１５…液晶パネル、１２０…駆動部、１２１…光源駆動部、１２２…光変調装置駆動部、１３１…操作部、１３５…入力インターフェース、１４１…画像インターフェース、１５０…第１制御部、１５１…メモリー、１５３…プロセッサー、１６１…選択部、１６２…起動指示部、１６３…検出部、１６４…表示制御部、１６５…画像記憶部、１７０…コネクター、１７１…第１コネクター、１７２…第２コネクター、１７３…第３コネクター、１７４…規制部材、２００…画像出力装置（表示システムの一部）、２１０…通信部、２２０…第２制御部、２２１…第２プロセッサー、２２２…第２メモリー、２３１…受付部、２３２…起動実行部、２３３…送信部、２４０…無線通信部、ＣＪ…指示情報、ＦＪ…完了情報、Ｐ１…第１画像、Ｐ２…第２画像、ＰＪ１…第１画像情報、ＰＪ２…第２画像情報、ＳＣＭ…起動コマンド。
【図１】
2020064255.tif 000003
【図２】
2020064255.tif 000004
【図３】
2020064255.tif 000005
【図４】
2020064255.tif 000006
【図５】
2020064255.tif 000007
【図６】
2020064255.tif 000008
【図７】
2020064255.tif 000009
【図８】
2020064255.tif 000010
【図９】
2020064255.tif 000011